(57)【要約】      （修正有）【課題】使用時にユーザに負担が掛かるのを抑制しながら、輸送時および保管時に嵩張るのを抑制可能な使い捨て収容具を提供する。【解決手段】この使い捨て収容具１は、検体分析装置によって使用されたキュベットを廃棄のために収容する使い捨て収容具１であって、底面部１１と、底面部１１の端部から上端部まで外側に広がるように底面部１１に対して傾斜する側面部（２つの短辺側面部１２および２つの長辺側面部１３）とを備え、ユーザに提供される際に上部が開放された箱形状に形成されている。【選択図】図２
0003161727.tif 000002
【実用新案登録請求の範囲】
【請求項１】
検体分析装置によって使用された使い捨て部品を廃棄のために収容する使い捨て収容具であって、
底面部と、
前記底面部の端部近傍から上端部まで外側に広がるように前記底面部に対して傾斜する側面部とを備え、
ユーザに提供される際に上部が開放された箱形状に形成されている、使い捨て収容具。
【請求項２】
前記側面部は、外形線が下端部から上端部まで略直線状に延びるように形成されている、請求項１に記載の使い捨て収容具。
【請求項３】
前記底面部は、略矩形形状に形成されており、
前記側面部は、前記底面部の各辺のそれぞれから上端部まで外側に広がるように前記底面部に対して傾斜する４つの側面部材を含む、請求項１または２に記載の使い捨て収容具。
【請求項４】
前記４つの側面部材のうちの対向する２つの側面部材には、互いに略同一の標識が付されている、請求項３に記載の使い捨て収容具。
【請求項５】
単一のシート状部材が折り曲げられることにより形成されている、請求項１〜４のいずれか１項に記載の使い捨て収容具。
【請求項６】
前記シート状部材は、紙からなる、請求項５に記載の使い捨て収容具。
【請求項７】
前記検体分析装置に設置された状態において、前記シート状部材が折り曲げられて重ねられた部分が手前側に位置するように形成されている、請求項５または６に記載の使い捨て収容具。
【請求項８】
前記使い捨て部品は、検体を収容するキュベットまたはピペットに装着される分注チップである、請求項１〜７のいずれか１項に記載の使い捨て収容具。
【請求項９】
複数の前記使い捨て収容具が重ねられた場合に、一の使い捨て収容具の内側表面と他の使い捨て収容具の外側表面とが対向して当接するように構成されているとともに、前記外側表面の表面粗さが前記内側表面の表面粗さよりも大きくなるように構成されている、請求項１〜８のいずれか１項に記載の使い捨て収容具。
【請求項１０】
請求項１〜９のいずれかに記載の複数の使い捨て収容具と、
一の使い捨て収容具の中に他の使い捨て収容具の前記底面部を挿入して積み重ねた状態で、前記複数の使い捨て収容具を収容する箱部とを備える、使い捨て収容具セット。
【請求項１１】
前記箱部は、上部に配置され、前記使い捨て収容具の取り出し時に開閉可能な上面蓋部を含み、
前記複数の使い捨て収容具は、前記底面部が上側になるように積み重ねられた状態で前記箱部に収容されている、請求項１０に記載の使い捨て収容具セット。
【請求項１２】
前記箱部は、下部に配置され、前記使い捨て収容具の収納時に開閉可能な下面蓋部をさらに含む、請求項１１に記載の使い捨て収容具セット。
【考案の詳細な説明】
【技術分野】
【０００１】
この考案は、使い捨て収容具および使い捨て収容具セットに関し、特に、検体分析装置によって使用された使い捨て部品を廃棄するために収容する使い捨て収容具、および、そのような使い捨て収容具を備える使い捨て収容具セットに関する。
【背景技術】
【０００２】
従来、検体分析装置によって使用された使い捨て部品を廃棄するために収容する使い捨て収容具が知られている（たとえば、特許文献１参照）。
【０００３】
上記特許文献１には、検体分析装置によって使用されたキュベットを廃棄するために収容するディスポーザブルパーツ廃棄箱（使い捨て収容具）が開示されている。このディスポーザブルパーツ廃棄箱は、使用時に、ユーザが予め設けられた折り目に沿ってシート状部材を折り曲げることにより箱形状に組み立てるように構成されている。これにより、シート状のままでディスポーザブルパーツ廃棄箱の輸送および保管が可能なので、輸送時および保管時に嵩張るのを抑制することが可能である。
【先行技術文献】
【特許文献】
【０００４】
【特許文献１】特開２００８−５１６０７号公報
【考案の概要】
【考案が解決しようとする課題】
【０００５】
しかしながら、上記特許文献１のディスポーザブルパーツ廃棄箱（使い捨て収容具）では、輸送時および保管時に嵩張るのを抑制可能である一方、使用時にユーザによりシート状部材を折り曲げて箱形状に組み立てる必要があるので、使用時にユーザに負担が掛かるという問題点がある。
【０００６】
この考案は、上記のような課題を解決するためになされたものであり、この考案の１つの目的は、使用時にユーザに負担が掛かるのを抑制しながら、輸送時および保管時に嵩張るのを抑制可能な使い捨て収容具、および、そのような使い捨て収容具を備える使い捨て収容具セットを提供することである。
【課題を解決するための手段および考案の効果】
【０００７】
この考案の第１の局面による使い捨て収容具は、検体分析装置によって使用された使い捨て部品を廃棄のために収容する使い捨て収容具であって、底面部と、底面部の端部近傍から上端部まで外側に広がるように底面部に対して傾斜する側面部とを備え、ユーザに提供される際に上部が開放された箱形状に形成されている。
【０００８】
この考案の第１の局面による使い捨て収容具では、上記のように、底面部と、底面部の端部近傍から上端部まで外側に広がるように底面部に対して傾斜する側面部とを設けることによって、底面部から上端部に向かって内部寸法が大きくなるので、容易に、一の使い捨て収容具の中に他の使い捨て収容具の底面部を挿入することができる。これにより、一の使い捨て収容具の中に他の使い捨て収容具の底面部を挿入した状態で複数の使い捨て収容具を積み重ねることができるので、輸送時および保管時に嵩張るのを抑制することができる。また、ユーザに提供される際に上部が開放された箱形状に形成されているように構成することによって、使用時にユーザが箱形状に組み立てる必要がなくそのまま使用することができるので、使用時にユーザに負担が掛かるのを抑制することができる。したがって、この使い捨て収容具では、使用時にユーザに負担が掛かるのを抑制しながら、輸送時および保管時に嵩張るのを抑制することができる。
【０００９】
上記第１の局面による使い捨て収容具において、好ましくは、側面部は、外形線が下端部から上端部まで略直線状に延びるように形成されている。このように構成すれば、底面部から上端部まで内部寸法が一定の割合で大きくなるので、一の使い捨て収容具の中に他の使い捨て収容具の底面部を挿入しやすくなる。
【００１０】
上記第１の局面による使い捨て収容具において、好ましくは、底面部は、略矩形形状に形成されており、側面部は、底面部の各辺のそれぞれから上端部まで外側に広がるように底面部に対して傾斜する４つの側面部材を含む。このように構成すれば、検体分析装置に設置しやすい直方体形状に近い形状の使い捨て収容具を提供することができる。また、底面部の各辺のそれぞれから上端部まで四方に広がる形状となるので、一の使い捨て収容具の中に他の使い捨て収容具の底面部を挿入しやすくなる。
【００１１】
この場合、好ましくは、４つの側面部材のうちの対向する２つの側面部材には、互いに略同一の標識が付されている。このように構成すれば、対向する２つの側面部材のうちの一方の標識が視認可能な状態で使い捨て収容具が設置される場合において、対向する２つの側面部材の位置が互いに入れ替わった状態で使い捨て収容具が設置されたとしても、２つの側面部材の両方に略同一の標識が付されているので、ユーザが標識を確実に認識することができる。すなわち、使い捨て収容具が設置される向きに関わらず、ユーザに標識を確実に認識させることができる。
【００１２】
上記第１の局面による使い捨て収容具において、好ましくは、単一のシート状部材が折り曲げられることにより形成されている。このように構成すれば、複数のシート状部材から使い捨て収容具を形成する場合と異なり、容易に、部材点数が増加するのを抑制することができる。したがって、この使い捨て収容具では、使用時にユーザに負担が掛かるのを抑制しながら、輸送時および保管時に嵩張るのを抑制し、かつ、部材点数が増加するのを抑制することができる。
【００１３】
この場合、好ましくは、シート状部材は、紙からなる。このように構成すれば、金属や樹脂を用いる場合に比べて重量を軽くすることができるので、ユーザが取り扱いやすくなる。また、天然素材の紙を用いることによって、合成樹脂などの人工的な素材を用いる場合に比べて自然環境に対する負荷を軽減することができる。
【００１４】
上記シート状部材が折り曲げられることにより形成される構成において、好ましくは、検体分析装置に設置された状態において、シート状部材が折り曲げられて重ねられた部分が手前側に位置するように形成されている。このように構成すれば、折り曲げられて重ねられることにより機械的強度が大きくなる部分がユーザにより近い手前側に配置されるので、ユーザは使い捨て収容具の機械的強度が大きい部分を把持しやすくなる。これにより、ユーザは、機械的強度が大きい部分を把持して使い捨て収容具を安定して取り扱うことができる。
【００１５】
上記第１の局面による使い捨て収容具において、好ましくは、使い捨て部品は、検体を収容するキュベットまたはピペットに装着される分注チップである。このように構成すれば、使用時にユーザに負担が掛かるのを抑制しながら、輸送時および保管時に嵩張るのを抑制することが可能な、キュベットまたは分注チップの廃棄用の使い捨て収容具を得ることができる。
【００１６】
上記第１の局面による使い捨て収容具において、好ましくは、複数の使い捨て収容具が重ねられた場合に、一の使い捨て収容具の内側表面と他の使い捨て収容具の外側表面とが対向して当接するように構成されているとともに、外側表面の表面粗さが内側表面の表面粗さよりも大きくなるように構成されている。このように構成すれば、外側表面および内側表面の両方の表面粗さが小さい場合とは異なり、複数の使い捨て収容具が重ねられた場合に、一の使い捨て収容具の内側表面と他の使い捨て収容具の外側表面とが密着してしまうのを抑制することができるので、重ねられた状態から使い捨て収容具を１つずつ分離しやすくなる。
【００１７】
この考案の第２の局面による使い捨て収容具セットは、上記構成を有する複数の使い捨て収容具と、一の使い捨て収容具の中に他の使い捨て収容具の底面部を挿入して積み重ねた状態で複数の使い捨て収容具を収容する箱部とを備える。
【００１８】
この第２の局面による使い捨て収容具セットでは、上記のように、一の使い捨て収容具の中に他の使い捨て収容具の底面部を挿入して複数の使い捨て収容具を積み重ねることによって、複数の使い捨て収容具の嵩が小さくなるので、その分、複数の使い捨て収容具を収容する箱部を小型化することができる。これにより、使い捨て収容具セットの輸送時および保管時に嵩張るのを抑制することができる。また、ユーザに提供される際に上部が開放された箱形状に形成されている使い捨て収容具を箱部に収容することによって、使用時にユーザが使い捨て収容具を箱形状に組み立てる必要がなく箱部から取り出してそのまま使用することができるので、使用時にユーザに負担が掛かるのを抑制することができる。したがって、この使い捨て収容具セットでは、使用時にユーザに負担が掛かるのを抑制しながら、輸送時および保管時に嵩張るのを抑制することができる。
【００１９】
上記第２の局面による使い捨て収容具セットにおいて、好ましくは、箱部は、上部に配置され、使い捨て収容具の取り出し時に開閉可能な上面蓋部を含み、複数の使い捨て収容具は、底面部が上側になるように積み重ねられた状態で箱部に収容されている。このように構成すれば、使い捨て収容具が上部よりも外形寸法が小さい底面部が手前側（上面蓋部側）に配置されるように収容されているので、上面蓋部を開いた場合に、箱部の内側表面と使い捨て収容具の底面部との間に隙間が形成されている状態になる。これにより、ユーザは、その隙間に容易に指を挿入することができるので、箱部内の使い捨て収容具を容易に把持することができ、その結果、使い捨て収容具を箱部から容易に取り出すことができる。
【００２０】
この場合、好ましくは、箱部は、下部に配置され、使い捨て収容具の収納時に開閉可能な下面蓋部をさらに含む。このように構成すれば、底面部が上側になるように使い捨て収容具を箱部に収納するために、下面蓋部により開放された箱部の下部から外形寸法が小さい底面部を先に挿入することができるので、箱部の上部から底面部よりも外形寸法が大きい上端部を先に挿入する場合に比べて、より容易に使い捨て収容具を箱部に収納することができる。
【図面の簡単な説明】
【００２１】
【図１】本考案の一実施形態による使い捨て収容具セットの全体構成を示した斜視図である。
【図２】本考案の一実施形態による使い捨て収容具セットの使い捨て収容具の全体構成を示した斜視図である。
【図３】本考案の一実施形態による使い捨て収容具セットの使い捨て収容具を示した側面図である。
【図４】本考案の一実施形態による使い捨て収容具セットの使い捨て収容具を示した正面図である。
【図５】本考案の一実施形態による使い捨て収容具セットの使い捨て収容具を積み重ねた状態を示した図である。
【図６】本考案の一実施形態による使い捨て収容具セットの使い捨て収容具を設置する検体分析装置の廃棄ボックスを示した斜視図である。
【図７】本考案の一実施形態による使い捨て収容具セットの使い捨て収容具を検体分析装置の廃棄ボックスに設置した状態を示した斜視図である。
【図８】本考案の一実施形態による使い捨て収容具セットの使い捨て収容具が検体分析装置の内部に位置する場合における、図７の５００−５００線に沿った概略断面図である。
【図９】本考案の一実施形態による使い捨て収容具セットの使い捨て収容具の展開図である。
【図１０】本考案の一実施形態による使い捨て収容具セットの使い捨て収容具の組み立て手順を説明するための図である。
【図１１】本考案の一実施形態による使い捨て収容具セットの使い捨て収容具の組み立て手順を説明するための図である。
【図１２】本考案の一実施形態による使い捨て収容具セットの使い捨て収容具の組み立て手順を説明するための図である。
【図１３】本考案の一実施形態による使い捨て収容具セットの使い捨て収容具の組み立て手順を説明するための図である。
【図１４】本考案の一実施形態による使い捨て収容具セットの使い捨て収容具の組み立て手順を説明するための図である。
【図１５】本考案の一実施形態による使い捨て収容具セットの全体構成を示した正面図である。
【図１６】本考案の一実施形態による使い捨て収容具セットの箱部の下面蓋部を開放した状態を示した斜視図である。
【考案を実施するための形態】
【００２２】
以下、本考案を具体化した実施形態を図面に基づいて説明する。
【００２３】
まず、図１〜図８を参照して、本考案の一実施形態による使い捨て収容具セット１００の全体構成について説明する。
【００２４】
本実施形態による使い捨て収容具セット１００は、図１に示すように、使い捨て収容具１と、使い捨て収容具１を収容する箱部２とにより構成されている。この使い捨て収容具セット１００は、箱形状に形成された１２個の使い捨て収容具１が積み重ねられて箱部２に収容された状態でユーザに提供される。また、使い捨て収容具セット１００は、使い捨て収容具１が箱部２に収容された状態で輸送および保管が可能に構成されている。
【００２５】
使い捨て収容具１は、図２に示すように、上部が開放された箱形状に構成されている。また、使い捨て収容具１は、後述するように、検体分析装置２００（図６〜図８参照）において検体を収容する使い捨てのキュベット３００（図８参照）を廃棄のために収容するように構成されている。また、使い捨て収容具１は、図２〜図４に示すように、矩形形状の底面部１１と、底面部１１の２つの短辺から上方に延びる２つの短辺側面部１２と、底面部１１の２つの長辺から上方に延びる２つの長辺側面部１３とを備えている。また、使い捨て収容具１は、側面部（２つの短辺側面部１２および２つの長辺側面部１３）が底面部１１から上方に向かって四方に広がるように設けられることによって、下部から上部に向かって内側寸法が大きくなるように構成されている。
【００２６】
具体的には、底面部１１は、短辺が約１２０ｍｍ、長辺が約２００ｍｍの長方形形状に形成されている。
【００２７】
ここで、本実施形態では、２つの短辺側面部１２は、図２および図４に示すように、互いに対向するように配置されている。また、２つの短辺側面部１２は、下部から上部に向かってＸ方向の外側に広がるように底面部１１に対して傾斜して設けられている。また、２つの短辺側面部１２は、図４に示すように、外形線が下端部から上端部まで略直線状に延びるように形成されている。具体的には、２つの短辺側面部１２は、底面部１１が水平面上に設置された状態で、鉛直方向に対して約５度Ｘ方向の外側に傾斜している。また、２つの短辺側面部１２は、約１００ｍｍの高さを有している。また、２つの短辺側面部１２の内側表面には、互いに同一の標識（図２および図９参照）が付されている。具体的には、短辺側面部１２の内側表面の上部の右側には、ＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）に準拠した注意を喚起する注意マーク１２ａが付されており、内側表面の上部の左側には、バイオハザードの危険性があることを知らせるＩＳＯに準拠したバイオハザードマーク１２ｂが付されている。
【００２８】
また、２つの長辺側面部１３は、図２および図３に示すように、互いに対向するように配置されている。また、２つの長辺側面部１３は、下部から上部に向かってＹ方向の外側に広がるように底面部１１に対して傾斜して設けられている。また、２つの長辺側面部１３は、図３に示すように、外形線が下端部から上端部まで略直線状に延びるように形成されている。具体的には、２つの長辺側面部１３は、底面部１１が水平面上に設置された状態で、鉛直方向に対して約５度Ｙ方向の外側に傾斜している。また、２つの長辺側面部１３は、短辺側面部１２と同様に、約１００ｍｍの高さを有している。
【００２９】
上記の構成により、使い捨て収容具１は、図５に示すように、一の使い捨て収容具１の中に他の使い捨て収容具１の底面部１１を挿入して積み重ねることが可能である。この際、一の使い捨て収容具１の側面部（２つの短辺側面部１２および２つの長辺側面部１３）の内側表面は、他の使い捨て収容具１の側面部（２つの短辺側面部１２および２つの長辺側面部１３）の外側表面に対向して実質的に面接触している。また、底面部１１、短辺側面部１２および長辺側面部１３のそれぞれの内側表面には、防水加工が施されている。具体的には、底面部１１、短辺側面部１２および長辺側面部１３のそれぞれの内側表面には、図示しない厚さが約０．０２５ｍｍのＰＰ（ポリプロピレン）フィルムが貼付されている。このため、後述するようにボール紙からなる使い捨て収容具１の外側表面は、ＰＰフィルムが貼付された内側表面よりも表面粗さが大きくなっている。
【００３０】
また、使い捨て収容具１は、図６に示すように検体分析装置２００の廃棄ボックス２０１が手前側（Ｘ１方向側）に引き出された状態で、図７に示すように廃棄ボックス２０１の凹部２０１ａに設置されるように構成されている。また、凹部２０１ａは、平面的に見て矩形形状を有している。また、使い捨て収容具１は、図７および図８に示すように、凹部２０１ａの高さと略同じ高さを有している。また、使い捨て収容具１は、上端部（Ｚ１方向の端部）の外形寸法が凹部２０１ａの内径寸法と略同じ大きさになるように形成されている。また、使い捨て収容具１は、後述するようにボール紙が折り重ねられて形成された短辺側面部１２が手前側（Ｘ１方向側）に位置するように設置される。また、ユーザは、奥側（Ｘ２方向側）に位置する短辺側面部１２の内側表面に付された標識（注意マーク１２ａおよびバイオハザードマーク１２ｂ）を視認することが可能である。
【００３１】
また、使い捨て収容具１は、廃棄ボックス２０１がＸ２方向に移動されて検体分析装置２００内に配置された場合に、図８に示すように、検体分析装置２００内に設けられたシュート部２０２の下方に配置される。シュート部２０２は、廃棄用キャッチ部２０３から開放された使用済みのキュベット３００を使い捨て収容具１内に導くために設けられている。そして、使い捨て収容具１は、シュート部２０２により導かれる使用済みのキュベット３００を廃棄のために収容するように構成されている。
【００３２】
また、本実施形態では、使い捨て収容具１は、単一のシート状のボール紙が折り曲げられることにより組み立てられるように構成されている。このボール紙は、約０．５９ｍｍの厚みを有している。また、本実施形態の使い捨て収容具１では、後述するように、２つの短辺側面部１２はボール紙が折り重ねられて形成されている。このため、短辺側面部１２は、長辺側面部１３に比べて機械的強度が大きくなっている。また、この使い捨て収容具１は、約１ｋｇの内容物（複数のキュベット３００）を収容した状態でユーザが短辺側面部１２の上端部近傍を把持して持ち上げた場合でも、組み立てられた形状が崩れない大きさの強度を有している。
【００３３】
次に、図９を参照して、使い捨て収容具１を展開した状態について説明する。
【００３４】
図９に示すように、底面部１１の２つの短辺には、折線４００を介して２つの側面本体部１２１が連結されている。各側面本体部１２１は、折線４００を下底とする台形形状に形成されている。また、各側面本体部１２１は、下底の折線４００よりも上底の折線４０１の方が長さが大きくなるように構成されている。また、各側面本体部１２１には、上記した注意マーク１２ａおよびバイオハザードマーク１２ｂが付されている。また、台形形状の各側面本体部１２１の上底側には、折線４０１を介して側面折込部１２２が連結されている。各側面折込部１２２は、Ｙ方向の両側からＹ方向に延びる２つの切欠部１２２ａを有している。各側面折込部１２２は、折線４０１から２つの切欠部１２２ａまで徐々にＹ方向の幅が小さくなるテーパ形状に形成されている。また、各側面折込部１２２は、２つの切欠部１２２ａよりも外側に形成された折込端部１２２ｂを有している。折込端部１２２ｂは、Ｙ方向に延びるように形成されており、Ｙ方向の両端部が半円形状に面取りされている。
【００３５】
また、底面部１１の２つの長辺には、折線４０２を介して２つの長辺側面部１３が連結されている。各長辺側面部１３は、折線４０２を下底とする台形形状に形成されている。また、各長辺側面部１３は、下底の折線４０２よりも上底の方が長さが大きくなるように構成されている。
【００３６】
また、２つの側面本体部１２１および２つの長辺側面部１３の間の４箇所には、一対の連結部１４が設けられている。一対の連結部１４の一方は、折線４０３を介して側面本体部１２１に隣接するように設けられている。また、一対の連結部１４の他方は、折線４０４を介して長辺側面部１３に隣接するように設けられている。また、各連結部１４は、略三角形状に形成されている。また、一対の連結部１４は、互いに折線４０５を介して連結されている。また、一対の連結部１４は、折線４０５について互いに線対称の形状に形成されている。また、一対の連結部１４の接続部分の外側端部（折線４０５の外側端部）には、切欠部１４ａが形成されている。これにより、一対の連結部１４を折線４０５に沿って折り曲げやすくなる。
【００３７】
次に、図９〜図１４を参照して、使い捨て収容具１の組み立て手順について説明する。
【００３８】
まず、図９に示す展開された状態から、図１０に示すように、底面部１１の周囲の折線４００および４０２に沿って、それぞれ、２つの側面本体部１２１および２つの長辺側面部１３を上方向（Ｚ１方向）に折り曲げる。この際、一対の連結部１４は、折線４０５に沿って折り曲げられて互いに重なる。次に、図１１に示すように、重ねられた一対の連結部１４を、折線４０３（折線４０４）に沿って側面本体部１２１の外側表面に当接するように折り曲げる。そして、図１２に示すように、連結部１４を外側から覆うように側面折込部１２２を折線４０１に沿って外側に折り曲げる。その後、図１３に示すように、折込端部１２２ｂの円形形状の一方端部を側面本体部１２１の外側表面と連結部１４との間に挿入する。次いで、図１４に示すように、折込端部１２２ｂの円形形状の他方端部を側面本体部１２１の外側表面と連結部１４との間に挿入する。このようにして、使い捨て収容具１が組み立てられる。また、この使い捨て収容具１は、上記のとおり、底面部１１、短辺側面部１２および長辺側面部１３の互いの間が連結されてすべて閉じられた構成であるので、それらの間から液漏れするのを防止することが可能である。また、本実施形態の使い捨て収容具１では、上記のように、接着部材（接着剤や粘着テープなど）を用いることなく、使い捨て収容具１を組み立てることが可能である。
【００３９】
次に、図１、図１５および図１６を参照して、箱部２の構成について詳細に説明する。本実施形態の箱部２は、１２個の使い捨て収容具１を収容可能に構成されている。また、箱部２は、底面部１１が上側になるように積み重ねられた状態の使い捨て収容具１を収容するように構成されている。また、箱部２は、図１、図１５および図１６に示すように、略直方体形状に形成されており、側方を囲む側面部２１と、上部に設けられた上面蓋部２２と、下部に設けられた下面蓋部２３とを有している。また、箱部２は、積み重ねられた１２個の使い捨て収容具１の外形寸法と略同じ大きさの内径寸法を有している。具体的には、箱部２の内径寸法は、図１５に示すように、積み重ねられた１２個の使い捨て収容具１と略同じ大きさの高さ寸法であるとともに、使い捨て収容具１の開放側の端部（底面部１１とは反対側の端部）の外形形状と同じ矩形形状で略同じ大きさの平面寸法である。これにより、積み重ねられた１２個の使い捨て収容具１が箱部２に収容された状態において、使い捨て収容具１が箱部２の内部で移動するのが抑制される。
【００４０】
また、側面部２１は、図１および図１５に示すように、積み重ねられた１２個の使い捨て収容具１の高さと略同じ高さを有している。また、側面部２１は、図１および図１６に示すように、平面的に見て矩形形状の使い捨て収容具１を取り囲むように構成されている。また、側面部２１の外側表面には商品タイトルや製造メーカ名などの標識が付されており、箱部２の上下方向が明確になっている。
【００４１】
また、上面蓋部２２は、図１に示すように、開閉可能に構成されている。また、上面蓋部２２は、箱部２の上部全体を覆うように構成されている。また、上面蓋部２２は、側面部２１の上端部の２つの長辺の一方に連結されている。また、上面蓋部２２の先端部には、上面蓋部２２を閉じる際に側面部２１の内側に挿入する挿入部２２１が設けられている。また、側面部２１の上端部の他方の長辺には、半円形状の切欠部２１１が形成されている。また、側面部２１の上端部の２つの短辺には、上面蓋部２２を閉じる際に内側に折り込まれる折込部２１２が連結されている。上面蓋部２２を閉じる際には、ユーザは、２つの折込部２１２を内側に水平に折り曲げた後、上面蓋部２２を箱部２の上部全体を覆う位置に移動して挿入部２２１を側面部２１の内側に挿入することによって、箱部２の上部を閉塞することが可能である。また、箱部２から使い捨て収容具１を取り出す際には、ユーザは、切欠部２１１を介して指（たとえば、親指）で挿入部２２１を押圧しながら上方に移動させることによって、容易に上面蓋部２２を開けることが可能である。また、使い捨て収容具１は底面部１１が上側になるように収容されているので、使い捨て収容具１の側面部（２つの短辺側面部１２および２つの長辺側面部１３）と箱部２の側面部２１との間には、ユーザが指を挿入可能な程度の隙間が形成されている。これにより、ユーザが使い捨て収容具１を把持しやすくなっている。
【００４２】
また、下面蓋部２３は、図１６に示すように、開閉可能に構成されている。また、下面蓋部２３は、使い捨て収容具セット１００の製造段階において、箱部２に使い捨て収容具１を収納するために設けられている。使い捨て収容具１が箱部２に収納される際には、完成時に使い捨て収容具１の底面部１１が上側になるように、使い捨て収容具１は底面部１１から先に箱部２に挿入される。また、下面蓋部２３は、側面部２１の下端部の２つの短辺に連結された２つの短辺折込部２３１と、側面部２１の下端部の２つの長辺に連結された２つの長辺折込部２３２とにより構成されている。また、２つの短辺折込部２３１および２つの長辺折込部２３２は、すべて（１２個）の使い捨て収容具１が収納された後、内側に水平に折り曲げられて箱部２の下部全体を覆うように構成されている。その後、下面蓋部２３（２つの短辺折込部２３１および２つの長辺折込部２３２）は、粘着テープにより開放が規制される。
【００４３】
本実施形態では、上記のように、一の使い捨て収容具１の中に他の使い捨て収容具１の底面部１１を挿入して複数の使い捨て収容具１を積み重ねることによって、複数の使い捨て収容具１の嵩が小さくなるので、その分、複数の使い捨て収容具１を収容する箱部２を小型化することができる。これにより、使い捨て収容具セット１００の輸送時および保管時に嵩張るのを抑制することができる。また、ユーザに提供される際に上部が開放された箱形状に形成されている使い捨て収容具１を箱部２に収容することによって、使用時にユーザが使い捨て収容具１を箱形状に組み立てる必要がなく箱部２から取り出してそのまま使用することができるので、使用時にユーザに負担が掛かるのを抑制することができる。したがって、この使い捨て収容具セット１００では、使用時にユーザに負担が掛かるのを抑制しながら、輸送時および保管時に嵩張るのを抑制することができる。
【００４４】
また、本実施形態では、上記のように、使い捨て収容具１の取り出し時に開閉可能な上面蓋部２２を箱部２に設け、複数の使い捨て収容具１を、底面部１１が上側になるように積み重ねられた状態で箱部２に収容することによって、使い捨て収容具１が上部よりも外形寸法が小さい底面部１１が手前側（上面蓋部２２側）に配置されるように収容されているので、上面蓋部２２を開いた場合に、箱部２の内側表面と使い捨て収容具１の底面部１１との間に隙間が形成されている状態になる。これにより、ユーザは、その隙間に容易に指を挿入することができるので、箱部２内の使い捨て収容具１を容易に把持することができ、その結果、使い捨て収容具１を箱部２から容易に取り出すことができる。
【００４５】
また、本実施形態では、上記のように、使い捨て収容具１の収納時に開閉可能な下面蓋部２３を箱部２に設けることによって、底面部１１が上側になるように使い捨て収容具１を箱部２に収納するために、下面蓋部２３により開放された箱部２の下部から外形寸法が小さい底面部１１を先に挿入することができるので、箱部２の上部から底面部１１よりも外形寸法が大きい上端部を先に挿入する場合に比べて、より容易に使い捨て収容具１を箱部２に収納することができる。
【００４６】
また、本実施形態では、上記のように、外形線が下端部から上端部まで略直線状に延びるように側面部１２（１３）を形成することによって、底面部１１から上端部まで内部寸法が一定の割合で大きくなるので、一の使い捨て収容具１の中に他の使い捨て収容具１の底面部１１を挿入しやすくなる。
【００４７】
また、本実施形態では、上記のように、底面部１１を略矩形形状に形成し、底面部１１の各辺のそれぞれから上端部まで外側に広がるように底面部１１に対して傾斜する４つの側面部１２（１３）を設けることによって、検体分析装置２００に設置しやすい直方体形状に近い形状の使い捨て収容具１を提供することができる。また、使い捨て収容具１が底面部１１の各辺のそれぞれから上端部まで四方に広がる形状となるので、一の使い捨て収容具１の中に他の使い捨て収容具１の底面部１１を挿入しやすくなる。
【００４８】
また、本実施形態では、上記のように、対向する２つの短辺側面部１２に、互いに略同一の標識を付すことによって、対向する２つの短辺側面部１２のうちの一方の標識が視認可能な状態で使い捨て収容具１が設置される場合において、対向する２つの短辺側面部１２の位置が互いに入れ替わった状態で使い捨て収容具１が設置されたとしても、２つの短辺側面部１２の両方に略同一の標識が付されているので、ユーザが標識を確実に認識することができる。すなわち、使い捨て収容具１が設置される向きに関わらず、ユーザに標識を確実に認識させることができる。
【００４９】
また、本実施形態では、上記のように、単一のシート状のボール紙を折り曲げることにより使い捨て収容具１を形成することによって、複数のシート状部材から使い捨て収容具１を形成する場合と異なり、容易に、部材点数が増加するのを抑制することができる。また、使い捨て収容具１を紙により構成することによって、金属や樹脂を用いる場合に比べて重量を軽くすることができるので、ユーザが取り扱いやすくなる。また、天然素材の紙を用いることによって、合成樹脂などの人工的な素材を用いる場合に比べて自然環境に対する負荷を軽減することができる。
【００５０】
また、本実施形態では、上記のように、検体分析装置２００に設置された状態において、ボール紙が折り曲げられて重ねられた短辺側面部１２が手前側（Ｘ１方向側）に位置するように使い捨て収容具１を形成することによって、折り曲げられて重ねられることにより機械的強度が大きくなる短辺側面部１２がユーザにより近い手前側に配置されるので、ユーザは機械的強度が大きい短辺側面部１２を把持しやすくなる。これにより、ユーザは、機械的強度が大きい短辺側面部１２を把持して使い捨て収容具１を安定して取り扱うことができる。
【００５１】
また、本実施形態では、上記のように、使い捨て収容具１の外側表面の表面粗さが内側表面の表面粗さよりも大きくなるように構成することによって、外側表面および内側表面の両方の表面粗さが小さい場合とは異なり、複数の使い捨て収容具１が重ねられた場合に、一の使い捨て収容具１の内側表面と他の使い捨て収容具１の外側表面とが密着してしまうのを抑制することができるので、重ねられた状態から使い捨て収容具１を１つずつ分離しやすくなる。
【００５２】
なお、今回開示された実施形態は、すべての点で例示であって制限的なものではないと考えられるべきである。本考案の範囲は、上記した実施形態の説明ではなく実用新案登録請求の範囲によって示され、さらに実用新案登録請求の範囲と均等の意味および範囲内でのすべての変更が含まれる。
【００５３】
たとえば、上記実施形態では、底面部を矩形形状に形成した構成の例を示したが、本考案はこれに限られない。本考案では、底面部を、三角形状や円形形状など、矩形形状以外の形状に形成する構成であってもよい。
【００５４】
また、上記実施形態では、シート状のボール紙を組み立てることにより使い捨て収容具を形成する例を示したが、本考案はこれに限られない。本考案では、樹脂成形などにより、組み立て作業を行うことなく本考案の使い捨て収容具を形成してもよい。
【００５５】
また、上記実施形態では、使い捨て収容具を側面折込部１２２の折込端部１２２ｂを用いて接着剤を使用せずに組み立てる構成の例を示したが、本考案はこれに限られない。本考案では、接着剤を用いて使い捨て収容具を組み立てる構成であってもよい。この場合には、折込端部１２２ｂなど、接着剤を使用しないために設けた部分を省略することができる。
【００５６】
また、上記実施形態では、外形線が下端部から上端部まで略直線状に延びるように側面部（短辺側面部１２および長辺側面部１３）を構成する例を示したが、本考案はこれに限られない。本考案では、側面部が外側に広がるように底面部に対して傾斜していれば、外形線が曲線になるように側面部を構成してもよいし、外形線が屈曲するように側面部を構成してもよい。
【００５７】
また、上記実施形態では、側面部のうちの対向する２つの短辺側面部に同一の標識を付した構成の例を示したが、本考案はこれに限られない。本考案では、対向する２つの長辺側面部に略同一の標識を付す構成であってもよい。
【００５８】
また、上記実施形態では、単一のシート状部材（ボール紙）を折り曲げることにより使い捨て収容具を形成する例を示したが、本考案はこれに限られない。本考案では、複数のシート状部材を折り曲げたり繋ぎ合わせたりして使い捨て収容具を形成してもよい。
【００５９】
また、上記実施形態では、シート状のボール紙からなる使い捨て収容具の例を示したが、本考案はこれに限られない。本考案では、シート状の、たとえばプラスチックなど、ボール紙以外の材料からなる使い捨て収容具であってもよい。
【００６０】
また、上記実施形態では、本考案の使い捨て部品の一例として、キュベットを示したが、本考案はこれに限られない。本考案では、検体分析装置によって使用される使い捨て部品であれば、たとえば、ピペットに装着される分注チップなど、キュベット以外の使い捨て部品であってもよい。
【００６１】
また、上記実施形態では、１２個の使い捨て収容具を収容可能な箱部の例を示したが、本考案はこれに限られない。本考案では、複数の使い捨て収容具を収容可能であれば、１２個以外の個数の使い捨て収容具を収容する箱部であってもよい。
【符号の説明】
【００６２】
１  使い捨て収容具
２  箱部
１１  底面部
１２  短辺側面部（側面部、側面部材）
１２ａ  注意マーク（標識）
１２ｂ  バイオハザードマーク（標識）
１３  長辺側面部（側面部、側面部材）
２２  上面蓋部
２３  下面蓋部
１００  使い捨て収容具セット
２００  検体分析装置
３００  キュベット（使い捨て部品）
【図１】
0003161727.tif 000003
【図２】
0003161727.tif 000004
【図３】
0003161727.tif 000005
【図４】
0003161727.tif 000006
【図５】
0003161727.tif 000007
【図６】
0003161727.tif 000008
【図７】
0003161727.tif 000009
【図８】
0003161727.tif 000010
【図９】
0003161727.tif 000011
【図１０】
0003161727.tif 000012
【図１１】
0003161727.tif 000013
【図１２】
0003161727.tif 000014
【図１３】
0003161727.tif 000015
【図１４】
0003161727.tif 000016
【図１５】
0003161727.tif 000017
【図１６】
0003161727.tif 000018